(57)【要約】【課題】高所作業をなくし、狭い場所でも作業可能な鉄骨柱の建て入れ直し治具及び建て入れ直し方法を提供する【解決手段】基礎１上に設けられたアンカー２０と、基礎１上に建て入れられる鉄骨柱４のベースプレート５の周縁に上下動自在に設けられ前記アンカー２０を把持するアンカー把持具３３とを備える鉄骨柱の建て入れ直し治具である。鉄骨柱４のベースプレート５の周縁に上下動自在に設けられたアンカー把持具３３により、基礎１上に設けられたアンカー２０を把持した状態でベースプレート５を上下動させ、基礎１上に建て入れられる鉄骨柱４の鉛直度を調整することができる。またアンカー把持具３０をベースプレート５の周縁に３個以上設けることにより、建て入れ直しによる鉄骨柱４の芯ずれを防ぐことができる。【選択図】      図１
2005016073.tif 000002
【特許請求の範囲】
【請求項１】
基礎上に設けられるアンカーと、基礎上に建て入れられる鉄骨柱のベースプレートの周縁に上下動自在に設けられ前記アンカーを把持するアンカー把持具とを備えることを特徴とする鉄骨柱の建て入れ直し治具。
【請求項２】
ベースプレート上に設けられるフレームと、上部が前記フレームの上部に垂直に貫通して螺合するジャッキと、前記ジャッキの上部と異なるピッチ幅を有する下部が螺合する前記アンカー把治具と、前記アンカー把治具により把持される前記アンカーとからなることを特徴とする請求項１に記載の鉄骨柱の建て入れ直し治具。
【請求項３】
ベースプレート上に設けられるフレームと、前記フレームに設けられる油圧ジャッキと、前記油圧ジャッキの下端に設けられる前記アンカー把治具と、前記アンカー把治具により把持される前記アンカーとからなることを特徴とする請求項１に記載の鉄骨柱の建て入れ直し治具。
【請求項４】
基礎上にアンカーを設けるとともに、
基礎上に建て入れる鉄骨柱のベースプレートの周縁にアンカー把持具を上下動自在に３個以上設け、
前記アンカーを把持した状態で前記アンカー把持具をベースプレートに対して上下動させることを特徴とする鉄骨柱の建て入れ直し方法。
【発明の詳細な説明】
【０００１】
【発明の属する技術分野】
本発明は、鉄骨柱の建て入れ直し治具及び建て入れ直し方法に関する。
【０００２】
【従来の技術】
鉄骨造や鉄骨鉄筋コンクリート造等における鉄骨柱の鉛直度の精度を確保する建て入れ直し方法としては、鉄骨柱上端にワイヤーを取り付けてレバーブロック等でワイヤーを緊張させて鉄骨柱の鉛直度を所定の精度に納める方法があった。
【０００３】
また、ボルト締めで調整する治具を用いて鉄骨柱のベースプレートを持ち上げて調整する方法もあった（例えば、特許文献１参照）。
【０００４】
【特許文献１】
特開２０００−７３５６８号公報（第３図）
【０００５】
【発明が解決しようとする課題】
しかし、ワイヤーで鉄骨柱の鉛直度を調整するためには、鉄骨柱上端にワイヤーを取り付けるため、高所の作業が必要となる。また、ワイヤーを張った状態では、ワイヤーが床工事の障害となる。また柱上端と床にワイヤー取り付け用の仮設部材が必要となる。
【０００６】
また、ボルト締めで調整する治具で鉄骨柱のベースプレートを持ち上げる方法では、ベースプレートを下げて高さを調節することができなかった。また、狭い地下部や柱筋がある場合にボルトを締めるスパナを使用することが困難であった。また鉄骨柱の片側のみを押す方式では、鉄骨柱の芯ずれが生じる恐れがあった。
【０００７】
本発明の課題は、高所作業をなくし、狭い場所でも作業可能な鉄骨柱の建て入れ直し治具及び建て入れ直し方法を提供することである。
【０００８】
【課題を解決するための手段】
以上の課題を解決するため、本発明の請求項１に記載の発明は、鉄骨柱の建て入れ直し治具であって、例えば図１に示すように、基礎１上に設けられたアンカー（治具アンカー２０）と、基礎１上に建て入れられる鉄骨柱４のベースプレート５の周縁に上下動自在に設けられ前記アンカー２０を把持するアンカー把持具３３とを備えることを特徴とする。
【０００９】
請求項１に記載の発明によれば、鉄骨柱４のベースプレート５の周縁に上下動自在に設けられたアンカー把持具３３により、基礎１上に設けられたアンカー２０を把持した状態でベースプレート５を上下動させ、基礎１上に建て入れられる鉄骨柱４の鉛直度を調整することができる。
【００１０】
請求項２に記載の発明は、請求項１に記載の鉄骨柱の建て入れ直し治具において、ベースプレート５上に設けられるフレーム３１と、上部（上側ねじ部３２ａ）が前記フレーム３１の上部に垂直に貫通して螺合するジャッキ３２と、前記ジャッキ３２の上部３２ａと異なるピッチ幅を有する下部（下側ねじ部３２ｂ）が螺合する前記アンカー把治具３３と、前記アンカー把治具３３により把持される前記アンカー２０とからなることを特徴とする。
【００１１】
請求項２に記載の発明によれば、ジャッキ３２がフレーム３１とアンカー把治具３３とに対して異なるピッチ幅で螺合するので、より小さい力でジャッキ３２を回転させてアンカー把治具３３を動かすことができ、治具アンカーボルト２０に対してベースプレート５を上下動させることができる。
【００１２】
請求項３に記載の発明は、請求項１に記載の鉄骨柱の建て入れ直し治具において、ベースプレート５上に設けられるフレーム３１と、前記フレーム３１に設けられる油圧ジャッキ３４と、前記油圧ジャッキ３４の下端に設けられる前記アンカー把治具３３と、前記アンカー把治具３３により把持される前記アンカー２０とからなることを特徴とする。
【００１３】
請求項３に記載の発明によれば、油圧ジャッキ３４により、ジャッキ３２の下部に設けられたアンカー把治具３３をベースプレート５に対して上下動させることができる。
【００１４】
請求項４に記載の発明は、鉄骨柱の建て入れ直し方法であって、基礎１上にアンカー２０を設けるとともに、基礎１上に建て入れる鉄骨柱４のベースプレート５の周縁にアンカー把持具３３を上下動自在に３個以上設け、前記アンカー２０を把持した状態で前記アンカー把持具３３をベースプレート５に対して上下動させることを特徴とする。
【００１５】
請求項４に記載の発明によれば、アンカー把持具３０をベースプレート５に対して上下動させることで、鉄骨柱４の鉛直度を調整することができる。またアンカー把持具３０をベースプレート５の周縁に３個以上設けることにより、建て入れ直しによる鉄骨柱４の芯ずれを防ぐことができる。
【００１６】
【発明の実施の形態】
以下に、本発明の実施の形態例について詳細に述べる。
図１（ａ）は本発明が適用される鉄骨柱の土台部分を示す立面図である。図１（ａ）において、基礎１上にアンカーフレーム２が組み上げられている。アンカーフレーム２の上面には柱アンカーボルト３と、治具１０を構成する治具アンカーボルト２０とが上に突出して設けられている。柱アンカーボルト３には鉄骨柱４のベースプレート５がボルトで固定される。
【００１７】
図１（ｂ）は鉄骨柱４のベースプレート５を示す平面図である。ベースプレート５の四隅には、治具アンカーボルトを貫通させる孔（図示せず）が空いており、その上に孔を貫通した治具アンカーボルト２０を支持するアンカー支持部３０が設けられている。また柱部分の角部には柱アンカーボルトを貫通させる孔が設けられている。なお図では鉄骨４は角形の鋼管であるが、Ｈ形鋼やＩ形鋼等の任意の形状の鉄骨を用いることができる。
【００１８】
図２は治具アンカー２０とともに治具１０を構成するアンカー支持部３０を示す図である。アンカー支持部３０は、ベースプレート５上に設けられており、フレーム３１と、ジャッキ３２と、アンカー把持具３３とから構成される。
フレーム３１はボルトによりベースプレート５に固定されている。フレーム３１の上部にはジャッキ３２が垂直に貫通して螺合している。
【００１９】
ジャッキ３２はフレーム３１と螺合する上側ねじ部３２ａと、アンカー把治具３３と螺合する下側ねじ部３２ｂとからなる。上側ねじ部３２ａと下側ねじ部３２ｂとは、ねじのピッチ幅が異なっており、例えば上側ねじ部３２ａのピッチ幅を３ｍｍ、下側ねじ部３２ｂのピッチ幅を２ｍｍとするなど、上側ねじ部３２ａのほうがピッチ幅が大きいことが好ましい。
アンカー把持具３３にはジャッキ３２の下側ねじ部３２ｂが螺合しており、治具アンカーボルト２０の頭部を把持する。下側ねじ部３２ｂのほうが上側ねじ部３２ａよりもピッチ幅が小さいため、アンカー把治具３３がフレームに対して上下動する変位は、ジャッキ３２がフレーム３１に対して上下動する変位よりも小さい。このため、より小さい力で治具アンカーボルト２０に対してベースプレート５を動かすことができる。
【００２０】
次に、本実施の形態における鉄骨柱の建て入れ直しについて説明する。まず、従来と同様にして基礎１上にアンカーフレーム２を組み、その上に鉄骨架構を組み上げる。そして鉄骨架構を構成する鉄骨柱４のベースプレート５を柱アンカーボルト３に仮固定するとともに、ベースプレート５の四隅に設けられたアンカー支持部３０で治具アンカーボルト２０の頭部を把持する。
【００２１】
ジャッキ３２はアンカー把持具３３によって治具アンカーボルト２０に固定されている。したがってジャッキ３２を左右に回転させると、ジャッキ３２に対してフレーム３１が上下動するので、図２（ａ）〜（ｃ）に示すように、ベースプレート５を上下動させることができる。４つのアンカー把持具３３の高さバランスを調整することにより、鉄骨柱４の鉛直度を微調整することができる。
【００２２】
本実施の形態によれば、ワイヤーの取り付けなどの高所作業が不要となり作業員の危険も減らすことができる。また鉄骨柱の下部で作業を行うので、狭い地下部や、また鉄骨鉄筋コンクリート造など、柱筋がある場合も建て入れ直しをすることができる。
【００２３】
なお、図面ではベースプレート５の四隅にアンカー支持部３０を設けているが、３個以上であればその数は任意である。例えば鉄骨４として断面が円形の鋼管を用いた場合には、柱部分を囲むように複数の治具１０を設けてもよい。
【００２４】
図３は本発明の第２の実施の形態として、アンカー支持部３０のジャッキ３２の代わりに油圧ジャッキ３４を用いた例を示す図である。フレーム３１に設けられた油圧ジャッキ３４のレバー３５を立てたり倒したりすると、アンカー把持具３３が上下動する。これにより、第１の実施の形態と同様にベースプレート５を上下動させて鉄骨柱４の傾きを微調整することができる。
【００２５】
なお、以上の実施の形態においては、基礎１上のアンカーフレーム２上に鉄骨柱４を建て入れる場合について説明したが、場所打ち杭などの基礎上にアンカーボルトを設け、同様にして直接鉄骨架構を組むこともできる。
【００２６】
また、治具アンカーボルト２０を柱アンカーボルト３と兼用して用いてもよい。その場合、治具アンカーボルト２０及びアンカー支持部３０は撤去せずに鉄骨柱４を固定する。
その他、鉄骨柱４の断面形状等、具体的な細部構造等についても適宜に変更可能であることは勿論である。
【００２７】
【発明の効果】
以上説明したように、本発明の請求項１に記載の発明によれば、鉄骨柱のベースプレートの周縁に上下動自在に設けられたアンカー把持具により、基礎上に設けられるアンカーを把持した状態でベースプレートを上下動させ、基礎上に建て入れられる鉄骨柱の鉛直度を調整することができる。
【００２８】
請求項２に記載の発明によれば、請求項１に記載の発明と同様の効果が得られるとともに、ジャッキがフレームとアンカー把治具とに対して異なるピッチ幅で螺合するので、より小さい力でジャッキを回転させてアンカー把治具を動かすことができ、治具アンカーボルトに対してベースプレートを上下動させることができる。
【００２９】
請求項３に記載の発明によれば、請求項１に記載の発明と同様の効果が得られるとともに、油圧ジャッキにより、ジャッキの下部に設けられたアンカー把治具をベースプレートに対して上下動させることができる。
【００３０】
請求項４に記載の発明によれば、アンカー把持具をベースプレートに対して上下動させることで、鉄骨柱の鉛直度を調整することができる。またアンカー把持具をベースプレートの周縁に３個以上設けることにより、建て入れ直しによる鉄骨柱の芯ずれを防ぐことができる。
【図面の簡単な説明】
【図１】（ａ）は本発明が適用される鉄骨柱の土台部分を示す立面図であり、（ｂ）はベースプレート５を示す平面図である。
【図２】アンカー把治具の動作を示す断面図であり、（ａ）はアンカー把治具をフレームの最上端に上げた状態、（ｃ）はフレームの最下端に下げた状態、（ｂ）はその中間の状態を示す。
【図３】ジャッキの代わりに油圧ジャッキを用いたアンカー支持部を示す図であり、（ａ）はフレームに垂直な面から見た断面図、（ｂ）はフレームと平行な面から見た断面図である。
【符号の説明】
１          基礎
２          アンカーフレーム
３          柱アンカーボルト
４          鉄骨柱
５          ベースプレート
１０      治具
２０      治具アンカーボルト
３０      アンカー支持部
３１      フレーム
３２      ジャッキ
３２ａ  上側ねじ部
３２ｂ  下側ねじ部
３３      アンカー把持具
３４      油圧ジャッキ
３５      レバー
【図１】
2005016073.tif 000003
【図２】
2005016073.tif 000004
【図３】
2005016073.tif 000005